(57)【要約】【課題】提供先に応じた情報が決められたフィールド毎に正しく印刷されているかどうかを容易に検査する。【解決手段】印刷物に印刷されるコンテンツ情報に、該コンテンツ情報を識別するためのバーコード情報を付与するバーコード付与部５０と、顧客情報に応じた複数のコンテンツ情報を複数のフィールドにそれぞれ配置ことにより、コンテンツ情報及びバーコード情報を少なくとも含み、印刷物に印刷される印刷データを編集する印刷データ編集部４０と、印刷データ編集部４０にて編集された印刷データを印刷する印字部６０と、印字部６０にて印刷されたバーコード情報を読み取り、読み取られたバーコード情報と、印刷データ編集部４０にて該バーコード情報の読み取り位置に配置されたバーコード情報とを照合する照合部７０とを設ける。【選択図】  図１
2004299226.tif 000002
【特許請求の範囲】
【請求項１】
複数のフィールドからなる印刷物を作製する印刷物作製システムであって、
前記印刷物に印刷される提供情報に、該提供情報を識別するための識別情報を当該提供情報が前記複数のフィールドに配置された場合に該フィールドに隣接する領域に配置されるように付与する識別情報付与手段と、
前記印刷物の提供先に応じた複数の提供情報を前記複数のフィールドにそれぞれ配置することにより、前記提供情報及び前記識別情報を少なくとも含み、前記印刷物に印刷される印刷データを編集する編集手段と、
前記編集手段にて編集された印刷データを印刷する印字手段と、
前記印字手段にて印刷された前記識別情報を読み取り、読み取られた識別情報と、前記編集手段にて編集された印刷データ内で当該識別情報の読み取り位置に配置された識別情報とを照合する照合手段とを有することを特徴とする印刷物作製システム。
【請求項２】
請求項１に記載の印刷物作製システムにおいて、
前記識別情報付与手段は、前記提供情報が他の提供情報と隣接して配置されるものである場合に、当該提供情報を挟んで対向する２つの領域に配置されるように前記識別情報を付与し、
前記編集手段は、前記２つの領域のうち前記他の提供情報に重なる領域に配置された識別情報を除去することを特徴とする印刷物作製システム。
【請求項３】
請求項１または請求項２に記載の印刷物作製システムにおいて、
前記照合手段における前記識別情報の照合処理の後、前記識別情報が印刷された領域を切り落とす断裁手段を有することを特徴とする印刷物作製システム。
【請求項４】
請求項１乃至３のいずれか１項に記載の印刷物作製システムにおいて、
前記識別情報は、バーコード情報であることを特徴とする印刷物作製システム。
【請求項５】
提供先に応じて決められたフィールドに提供情報を配置し、印刷する印刷物作製システムであって、
前記提供情報に、該提供情報を識別可能な識別情報を付与しておき、前記提供情報を該提供情報に付与された前記識別情報とともに配置、印刷することを特徴とする印刷物作製システム。
【発明の詳細な説明】
【０００１】
【発明の属する技術分野】
本発明は、複数のフィールドからなる印刷物を作製する印刷物作製システムに関する。
【０００２】
【従来の技術】
近年、印刷システムの性能向上に伴い、いわゆるオンデマンド印刷と呼ばれる処理が可能となっており、それを用いて、複数の顧客に対してそれぞれ同一または異なる内容の印刷物を作製して配布することが行われるようになってきている。
【０００３】
例えば、個人を対象とした通信教育の教材について、通信教育の受講者毎のカリキュラムや進捗状況に合わせたテキストが作製され、配送されている。この場合、通信教育の受講者毎にテキストが作製されることになるが、その効率化を図るために、テキストに掲載されるデータをデータベース化しておき、受講者毎のカリキュラムや進捗状況に基づいて、テキストに掲載されるデータやそのレイアウト等を検索し、レイアウトに従って紙面上にデータを割り振り、印刷処理を行う技術が考えられている（例えば、特許文献１参照。）。
【０００４】
また、クレジットカード等の利用明細書においては、利用者に送付される際、利用明細書の他にチラシ等の印刷物が同封される場合があり、その場合においても、近年、利用者毎に異なるチラシ等の印刷物を同封することが行われている。利用者毎に異なる印刷物を作製する場合は、利用者の属性情報や嗜好情報に基づいてチラシに掲載される内容が決められ、印刷物を作製するための印刷データが生成されることになる。
【０００５】
上述したような印刷システムにおいては、印刷物の提供先に応じた情報を印刷物に掲載することになるため、提供先に応じた情報が正しく印刷されているかどうかを検査する必要があり、そのために、印刷物の頁毎にバーコード情報を印刷しておき、このバーコード情報を読み取ることによって、提供先に応じた情報が正しく印刷されているかどうかを検査する方法が考えられている（例えば、特許文献２参照。）。
【０００６】
【特許文献１】
特開２００２−４６３１４号公報
【特許文献２】
特開２００２−４６３６５号公報
【０００７】
【発明が解決しようとする課題】
ここで、上述したような印刷システムにおいては、印刷物に掲載される内容によっては、印刷物の紙面が複数のフィールドに分割され、フィールド毎に異なる情報が掲載されることになる。そのため、印刷物の頁毎にバーコード情報を印刷しておき、このバーコード情報を読み取ることによって、提供先に応じた情報が正しく印刷されているかどうかを検査する方法だけでは、分割されたフィールドのそれぞれに、予め設定された情報が正しく印刷されているかどうかを検査することができないという問題点がある。
【０００８】
そこで、分割されたフィールドそれぞれに識別情報を記述するとともに、このフィールドに印刷される情報に、同一あるいは関連性のある識別情報を埋め込んでおき、これらを照合することにより、フィールド毎に決められた情報が割り振られているかどうかを検査する技術が考えられているが、この技術においては、フィールドに印刷される情報に識別情報を埋め込むという高度な技術が必要となってしまう。
【０００９】
本発明は、上述したような従来の技術が有する問題点に鑑みてなされたものであって、複数のフィールドに分割され、フィールド毎に異なる情報が印刷される印刷物に対して、提供先に応じた情報がフィールド毎に正しく印刷されているかどうかを容易に検査することができる印刷物作製システムを提供することを目的とする。
【００１０】
【課題を解決するための手段】
上記目的を達成するために本発明は、
複数のフィールドからなる印刷物を作製する印刷物作製システムであって、
前記印刷物に印刷される提供情報に、該提供情報を識別するための識別情報を当該提供情報が前記複数のフィールドに配置された場合に該フィールドに隣接する領域に配置されるように付与する識別情報付与手段と、
前記印刷物の提供先に応じた複数の提供情報を前記複数のフィールドにそれぞれ配置することにより前記印刷物に印刷される印刷データを編集する編集手段と、
前記編集手段にて編集された印刷データを印刷する印字手段と、
前記印字手段にて印刷された前記識別情報を読み取り、読み取られた識別情報と、前記編集手段にて編集された印刷データ内で当該識別情報の読み取り位置に配置された識別情報とを照合する照合手段とを有することを特徴とする。
【００１１】
また、前記識別情報付与手段は、前記提供情報が他の提供情報と隣接して配置されるものである場合に、当該提供情報を挟んで対向する２つの領域に配置されるように前記識別情報を付与し、
前記編集手段は、前記２つの領域のうち前記他の提供情報に重なる領域に配置された識別情報を除去することを特徴とする。
【００１２】
また、前記照合手段における前記識別情報の照合処理の後、前記識別情報が印刷された領域を切り落とす断裁手段を有することを特徴とする。
【００１３】
また、前記識別情報は、バーコード情報であることを特徴とする。
【００１４】
また、提供先に応じて決められたフィールドに提供情報を配置し、印刷する印刷物作製システムであって、
前記提供情報に、該提供情報を識別可能な識別情報を付与しておき、前記提供情報を該提供情報に付与された前記識別情報とともに配置、印刷することを特徴とする。
【００１５】
（作用）
上記のように構成された本発明においては、編集手段において印刷物の提供先に応じた提供情報が複数のフィールドにそれぞれ配置されることによって印刷データが編集される際、識別情報付与手段にて提供情報を識別するために提供情報に付与された識別情報が、該識別情報によって識別される提供情報が配置されたフィールドに隣接する領域に配置される。識別情報を含む印刷データが印字手段にて印刷された後、照合手段において、印字手段にて印刷された識別情報が読み取られ、読み取られた識別情報と、編集手段にて編集された印刷データ内で当該識別情報の読み取り位置に配置された識別情報とが照合され、この照合結果に基づいて、提供先に提供される提供情報が編集手段にて決められた領域に配置されて印刷されているかどうかが判断されることになる。
【００１６】
このように、提供先に提供される提供情報毎に識別情報が付与され、提供情報に隣接する領域にこの識別情報が印刷され、この識別情報が読み取られ、読み取られた識別情報とこの識別情報の読み取り位置に配置された識別情報とが照合されることにより、提供先に提供される提供情報が所定の領域に配置されて印刷されているかどうかが判断されるので、複数のフィールドに分割され、フィールド毎に異なる情報が印刷される印刷物に対して、提供先に応じた情報がフィールド毎に正しく印刷されているかどうかを容易に検査することができる。
【００１７】
また、識別情報付与手段にて、提供情報が他の提供情報と隣接して配置されるものである場合に、当該提供情報を挟んで対向する２つの領域に配置されるように識別情報を付与し、編集手段において、２つの領域のうち他の提供情報に重なる領域に配置された識別情報を除去するようにすれば、提供情報に対して本来識別情報が配置されるような領域に他の提供情報が配置される場合であっても、提供情報に識別情報が重なるように印刷されることがなく、提供情報が閲覧しにくくなったり、識別情報が読み取り不可能となってしまうことがなくなる。
【００１８】
また、照合手段における識別情報の照合処理の後、識別情報が印刷された領域を切り落とせば、提供先に提供される印刷物には識別情報が印刷されていないことになり、識別情報によって印刷物の美観を損ねてしまうことがなくなる。
【００１９】
【発明の実施の形態】
以下に、本発明の実施の形態について図面を参照して説明する。
【００２０】
図１は、本発明の印刷物作製システムの実施の一形態を示す図である。
【００２１】
本形態は図１に示すように、印刷物の提供先となる顧客を特定するための顧客特定部１０と、顧客特定部１０にて特定された顧客に関する情報を顧客情報データベース８１から検索する顧客情報検索部２０と、顧客特定部１０にて特定された顧客に提供すべきコンテンツ情報をコンテンツ情報データベース８２から検索するコンテンツ情報検索部３０と、テキストデータや画像データからなるコンテンツ情報に、コンテンツ情報毎に識別情報であるバーコード情報を付与してコンテンツ情報データベース８２に登録する識別情報付与手段であるバーコード情報付与部５０と、コンテンツ情報検索部３０にてコンテンツ情報データベース８２から検索されたコンテンツ情報を用いてコンテンツ情報及びバーコード情報を少なくとも含む印刷データを編集し、印刷物データベース８３に登録する編集手段である印刷データ編集部４０と、印刷物データベース８３に登録された印刷データを印刷する印字部６０と、印字部６０にて印刷データが印刷された印刷物に含まれるバーコード情報を読み取ることにより、コンテンツ情報が印刷物データベース８３に登録された印刷データによって決められた位置に印刷されているかどうかを照合する照合部７０とから構成されている。
【００２２】
以下に、上記のように構成された印刷物作製システムにおける印刷物の作製方法について説明する。
【００２３】
図２は、図１に示した印刷物作製システムにおける印刷物の作製方法の一例を説明するためのフローチャートである。
【００２４】
まず、テキストデータや画像データからなるコンテンツ情報をコンテンツ情報データベース８２に登録する際、バーコード付与部５０において、コンテンツ情報毎にバーコード情報が付与され（ステップＳ１）、バーコード情報が付与された状態でコンテンツ情報がコンテンツ情報データベース８２に登録される（ステップＳ２）。
【００２５】
その後、顧客情報データベース８１に登録された顧客情報に応じたコンテンツ情報が印刷された印刷物を作製する場合は、まず、顧客特定部１０にて、印刷物の提供先となる顧客が特定される（ステップＳ３）。ここで、顧客情報データベース８１には、顧客の氏名や年齢、性別、住所等の属性情報等の情報が、顧客を識別可能な顧客ＩＤと対応づけられて登録されており、顧客特定部１０においては、顧客の氏名や顧客ＩＤを用いて顧客の特定を行うことが考えられる。また、顧客毎に、コンテンツ情報データベース８２に登録されたコンテンツ情報のうち、提供すべきコンテンツ情報を識別可能なコンテンツＩＤが、提供される印刷物における印字領域を示す情報とともに顧客情報データベース８１に登録されている。
【００２６】
顧客特定部１０にて顧客が特定されると、顧客情報検索部２０において、顧客情報データベース８１の中から、顧客特定部１０にて特定された顧客に関する情報が検索される（ステップＳ４）。
【００２７】
顧客情報検索部２０にて顧客情報データベース８１から検索された顧客情報はコンテンツ情報検索部３０に送られ、コンテンツ情報検索部３０において、コンテンツ情報データベース８２の中から、顧客情報検索部２０から送られてきた顧客情報に含まれるコンテンツＩＤによってコンテンツ情報が検索される（ステップＳ５）。ここで、コンテンツ情報データベース８２には、印刷物に印刷されるコンテンツ情報がコンテンツＩＤと対応づけられて登録されている。
【００２８】
次に、印刷データ編集部４０において、コンテンツ情報検索部３０にてコンテンツ情報データベース８２から検索されたコンテンツ情報を用いて印刷データが編集され、編集された印刷データが印刷物データベース８３に登録される（ステップＳ６）。ここで、コンテンツ情報データベース８２から検索されたコンテンツ情報は、顧客情報検索部２０にて顧客情報データベース８１から検索された顧客情報に基づく領域に配置される。
【００２９】
次に、印字部６０において、印刷物データベース８３に登録された印刷データが印刷される（ステップＳ７）。
【００３０】
図３は、図１に示した印刷物作製システムにてコンテンツ情報が印刷された印刷物の一例を示す図である。
【００３１】
本形態における印刷物１は図３に示すように、分割された３つのフィールドのそれぞれにコンテンツ情報２ａ〜２ｃが印刷されているとともに、コンテンツ情報２ａ〜２ｃが印刷されたフィールドに隣接する領域に、それぞれ、バーコード情報付与部５０にてコンテンツ情報２ａ〜２ｃに付与されたバーコード情報３ａ〜３ｃが印刷されている。なお、コンテンツ情報２ａ〜２ｃにおいては、顧客情報検索部２０にて顧客情報データベース８１から検索された顧客情報に応じてその掲載順序が決まるものとする。また、印刷物の表裏の照合及び印刷物を識別するためのバーコード情報４が印刷されている。また、コンテンツ情報データベース８２には、コンテンツ情報がコンテンツ情報２ａ〜２ｃとバーコード情報３ａ〜３ｃとからなる単位６ａ〜６ｃによって登録されており、印刷データ編集部４０にてこの単位６ａ〜６ｃ毎に印刷データが編集され、印刷物データベース８３に登録されている。
【００３２】
また、このフィールドの数は、コンテンツ情報検索部３０にてコンテンツ情報データベース８２から検索されたコンテンツ情報の数によって決まるが、コンテンツ情報検索部３０にてコンテンツ情報データベース８２から検索されたコンテンツ情報の数によっては、印刷物の紙面に余白が生じる場合がある。その場合、印刷データ編集部４０においては、その余白の大きさに応じて、コンテンツ情報とは異なる情報を含めるような印刷データの編集が行われる。この情報は、顧客情報に基づく情報ではなく、印刷物の提供先に共通な情報とすることが考えられる。
【００３３】
その後、照合部７０において、分割されたフィールドのそれぞれについて、提供先に応じて予め設定されたコンテンツ情報が正しく印刷されているかどうかが確認されることになる。まず、印字部６０にて印刷されたバーコード情報が読み取られ（ステップＳ８）、次に、印刷物データベース８３が参照され、読み取られたバーコード情報と、印刷物データベース８３に登録された印刷データにてその読み取り位置に配置されたバーコード情報とが照合され、それにより、提供先に応じて予め設定されたコンテンツ情報が所定の領域に印刷されているかどうかが確認される（ステップＳ９）。なお、印刷物には、バーコード情報付与部５０にてコンテンツ情報毎に付与されたバーコード以外に、印刷物を特定するためのバーコード等の識別情報が付与されており、照合部７０においては、印刷物からこの識別情報が読み取られ、この識別情報によって印刷物データベース８３に登録された印刷データが特定されることになる。
【００３４】
提供先に応じて予め設定されたコンテンツ情報が所定の領域に印刷されていることが確認された場合であって（ステップＳ１０）、その印刷物に綴じ合わされる他の印刷物が存在する場合は（ステップＳ１１）、これらの印刷物が綴じ合わされて冊子化され（ステップＳ１２）、その後、バーコード情報が印刷された領域が断裁手段（不図示）によって断裁される（ステップＳ１３）。
【００３５】
一方、ステップＳ１０において、提供先に応じて予め設定されたコンテンツ情報が所定の領域に印刷されていないと判断された場合は、その旨が出力され、処理が中断する（ステップＳ１４）。
【００３６】
上述したような一連の処理は、例えば、個人を対象とした通信教育の教材の印刷方法に適用可能である。その場合、顧客情報データベース８１には、通信教育の受講者のカリキュラムや進捗状況が登録されており、また、コンテンツ情報データベース８２には、テキストに掲載される問題等のデータが登録されていることになる。
【００３７】
図４は、図１に示した印刷物作製システムにおける印刷物の作製方法の他の例を説明するためのフローチャートである。
【００３８】
まず、テキストデータや画像データからなるコンテンツ情報をコンテンツ情報データベース８２に登録する際、バーコード付与部５０において、コンテンツ情報毎にバーコード情報が付与され（ステップＳ１０１）、バーコード情報が付与された状態でコンテンツ情報がコンテンツ情報データベース８２に登録される（ステップＳ１０２）。
【００３９】
その後、顧客情報データベース８１に登録された顧客情報に応じたコンテンツ情報が印刷された印刷物を作製する場合は、まず、顧客特定部１０にて、印刷物の提供先となる顧客が特定される（ステップＳ１０３）。ここで、顧客情報データベース８１には、顧客の氏名や年齢、性別、住所等の属性情報等の情報が、顧客を識別可能な顧客ＩＤと対応づけられて登録されており、顧客特定部１０においては、顧客の氏名や顧客ＩＤを用いて顧客の特定を行うことが考えられる。また、顧客毎に、コンテンツ情報データベース８２に登録されたコンテンツ情報のうち、提供すべきコンテンツ情報を識別可能なコンテンツＩＤが、提供される印刷物における印字領域を示す情報とともに顧客情報データベース８１に登録されている。
【００４０】
顧客特定部１０にて顧客が特定されると、顧客情報検索部２０において、顧客情報データベース８１の中から、顧客特定部１０にて特定された顧客に関する情報が検索される（ステップＳ１０４）。
【００４１】
顧客情報検索部２０にて顧客情報データベース８１から検索された顧客情報はコンテンツ情報検索部３０に送られ、コンテンツ情報検索部３０において、コンテンツ情報データベース８２の中から、顧客情報検索部２０から送られてきた顧客情報に含まれるコンテンツＩＤによってコンテンツ情報が検索される（ステップＳ１０５）。ここで、コンテンツ情報データベース８２には、印刷物に印刷されるコンテンツ情報がコンテンツＩＤと対応づけられて登録されている。
【００４２】
次に、印刷データ編集部４０において、コンテンツ情報検索部３０にてコンテンツ情報データベース８２から検索されたコンテンツ情報を用いて印刷データが編集され、編集された印刷データが印刷物データベース８３に登録される（ステップＳ１０６）。ここで、コンテンツ情報データベース８２から検索されたコンテンツ情報は、顧客情報検索部２０にて顧客情報データベース８１から検索された顧客情報に基づく領域に配置される。
【００４３】
次に、印字部６０において、印刷物データベース８３に登録された印刷データが印刷される（ステップＳ１０７）。
【００４４】
図５は、図１に示した印刷物作製システムにてコンテンツ情報が印刷された印刷物の他の例を示す図である。
【００４５】
本形態における印刷物１０１は図５に示すように、分割された６つのフィールドのそれぞれにコンテンツ情報１０２ａ〜１０２ｆが印刷されているとともに、コンテンツ情報１０２ａ〜１０２ｆが印刷されたフィールドに隣接する領域に、それぞれ、バーコード情報付与部５０にてコンテンツ情報１０２ａ〜１０２ｆに付与されたバーコード情報１０３ａ〜１０３ｆが印刷されている。なお、コンテンツ情報１０２ａ〜１０２ｆにおいては、顧客情報検索部２０にて顧客情報データベース８１から検索された顧客情報に応じてその掲載順序が決まるものとする。また、印刷物の表裏の照合及び印刷物を識別するためのバーコード情報１０４が印刷されている。また、印刷物１０１に印刷されるコンテンツ情報１０２ａ〜１０２ｄについては、バーコード情報付与部５０にて付与されたバーコード情報１０３ａ〜１０３ｄとからなる単位１０６ａ〜１０６ｄによってコンテンツ情報データベース８２に登録されており、印刷データ編集部４０にてこの単位１０６ａ〜１０６ｄ毎に印刷データが編集され、印刷物データベース８３に登録されている。また、コンテンツ情報１０２ｅ，１０２ｆについては、互いに隣接して印刷されているように、隣接する領域に他のコンテンツ情報が配置され、印刷される場合がある。そこで、バーコード情報付与部５０においては、コンテンツ情報１０２ｅ，１０２ｆについては、そのコンテンツ情報１０２ｅ，１０２ｆを挟んで対向するようにコンテンツ情報１０２ｅ，１０２ｆの両側にバーコード情報１０３ｅ，１０３ｆ（それぞれ片側については不図示）が付与され、そのバーコード情報とからなる単位によってコンテンツ情報データベース８２に登録されており、そのコンテンツ情報１０２ｅ，１０２ｆを用いて印刷データが編集される際に、コンテンツ情報１０２ｅ，１０２ｆの両側に付与されたバーコード情報１０３ｅ，１０３ｆのうち他のコンテンツ情報と重なる領域に配置されたバーコード情報のみが印刷枠によって除去され、一方の側に配置されたバーコード情報１０３ｅ，１０３ｆのみが印刷データとして残り、印刷されることになる。
【００４６】
また、このフィールドの数は、コンテンツ情報検索部３０にてコンテンツ情報データベース８２から検索されたコンテンツ情報の数によって決まるが、コンテンツ情報検索部３０にてコンテンツ情報データベース８２から検索されたコンテンツ情報の数によっては、印刷物の紙面に余白が生じる場合がある。その場合、印刷データ編集部４０においては、その余白の大きさに応じて、コンテンツ情報とは異なり、印刷物の提供先に共通な共通情報１０５が配置される。なお、この共通情報１０５においても、バーコード情報付与部５０にてバーコード情報１０３ｇが付与されている。
【００４７】
その後、照合部７０において、分割されたフィールドのそれぞれについて、提供先に応じて予め設定されたコンテンツ情報が正しく印刷されているかどうかが確認されることになる。まず、印字部６０にて印刷されたバーコード情報が読み取られ（ステップＳ１０８）、次に、印刷物データベース８３が参照され、読み取られたバーコード情報と、印刷物データベース８３に登録された印刷データにてその読み取り位置に配置されたバーコード情報とが照合され、それにより、提供先に応じて予め設定されたコンテンツ情報が所定の領域に印刷されているかどうかが確認される（ステップＳ１０９）。なお、印刷物には、バーコード情報付与部５０にてコンテンツ情報毎に付与されたバーコード以外に、印刷物を特定するためのバーコード等の識別情報が付与されており、照合部７０においては、印刷物からこの識別情報が読み取られ、この識別情報によって印刷物データベース８３に登録された印刷データが特定されることになる。
【００４８】
提供先に応じて予め設定されたコンテンツ情報が所定の領域に印刷されていることが確認された場合（ステップＳ１１０）、バーコード情報が印刷された領域が断裁手段（不図示）によって断裁され（ステップＳ１１１）、また、提供先に応じて予め設定されたコンテンツ情報が所定の領域に印刷されていないと判断された場合は、その旨が出力され、処理が中断する（ステップＳ１１２）。
【００４９】
その後、その印刷物に丁合する他の印刷物が存在する場合は（ステップＳ１１３）、これらの印刷物が丁合され（ステップＳ１１４）、封筒に封入、封緘され（ステップＳ１１５）、提供先に発送される（ステップＳ１１６）。
【００５０】
上述したような一連の処理は、例えば、クレジットカード等の利用明細書に同封されるチラシ等の印刷方法に適用可能である。
【００５１】
図６は、図１及び図４を用いて説明した印刷物の作製方法が適用されるシステムの一例を示す図である。
【００５２】
クレジットカード等の利用明細書は、明細書供給部２０２からコンベヤー２０１上に供給されるが、その際、利用明細書に印刷されたバーコード情報がバーコードリーダ２０５ａにて読み取られる。ここで、明細書供給部２０２からコンベヤー２０１上に供給される利用明細書には、利用明細書の送付先を識別可能なバーコード情報が印刷されており、このバーコード情報を読み取ることにより、利用明細書の送付先を特定することができる。
【００５３】
また、チラシ供給部２０３からは、図４のステップＳ１０１〜Ｓ１０９に示した処理にて作製されたチラシが、コンベヤー２０１上を搬送されてくる利用明細書に重ね合わされるようにコンベヤー２０１上に供給される。ここで、チラシ供給部２０３からコンベヤー２０１上に供給されるチラシにおいても、送付先を識別可能なバーコード情報が印刷されており、このバーコード情報がバーコードリーダ２０５ｂにて読み取られる。
【００５４】
制御部２０６においては、バーコードリーダ２０５ａにて利用明細書から読み取られたバーコード情報と、バーコードリーダ２０５ｂにてチラシから読み取られたバーコード情報とを用いて、明細書供給部２０２から供給される利用明細書とチラシ供給部２０３から供給されるチラシとのマッチング処理が行われ、これにより、同一の送付先に対する利用明細書とチラシとがコンベヤー２０１上にて重ね合わされることになる。
【００５５】
その後、チラシ供給部２０４−１〜２０４−ｎからチラシが供給され、コンベヤー２０１上を重ね合わされて搬送される利用明細書とチラシに重ね合わされる。ここで、チラシ供給部２０４−１〜２０４−ｎから供給されるチラシは、チラシ供給部２０３から供給されるチラシとは異なり、送付先毎に異なる内容が印刷されたものではなく、共通の内容が印刷されたものとなるが、制御部２０６において、送付先毎にどのチラシ供給部２０４−１〜２０４−ｎから供給されるチラシを組み合わせるかが制御されており、それにより、送付先に応じたチラシが、明細書供給部２０２から供給される利用明細書とチラシ供給部２０３から供給されるチラシに重ね合わされてコンベヤー２０１上を搬送されていく。
【００５６】
コンベヤー２０１上を搬送された利用明細書とチラシは、送付先毎に封入、封緘され、顧客に発送されることになる。
【００５７】
【発明の効果】
以上説明したように本発明においては、複数のフィールドからなる印刷物を作製する印刷物作製システムにおいて、印刷物に印刷される提供情報に、該提供情報を識別するための識別情報を当該提供情報が複数のフィールドに配置された場合に該フィールドに隣接する領域に配置されるように付与する識別情報付与手段と、印刷物の提供先に応じた複数の提供情報を複数のフィールドにそれぞれ配置することにより、提供情報及び前記識別情報を少なくとも含み、印刷物に印刷される印刷データを編集する編集手段と、編集手段にて編集された印刷データを印刷する印字手段と、印字手段にて印刷された識別情報を読み取り、読み取られた識別情報と、編集手段にて編集された印刷データ内で当該識別情報の読み取り位置に配置された識別情報とを照合する照合手段とを有する構成としたため、提供先に提供される提供情報毎に識別情報が付与され、提供情報に隣接する領域にこの識別情報が印刷され、この識別情報が読み取られ、読み取られた識別情報とこの識別情報の読み取り位置に配置された識別情報とが照合されることにより、提供先に提供される提供情報が所定の領域に配置されて印刷されているかどうかが判断されることになり、複数のフィールドに分割され、フィールド毎に異なる情報が印刷される印刷物に対して、提供先に応じた情報がフィールド毎に正しく印刷されているかどうかを容易に検査することができる。
【００５８】
また、識別情報付与手段において、提供情報が他の提供情報と隣接して配置されるものである場合に、当該提供情報を挟んで対向する２つの領域に配置されるように識別情報を付与し、編集手段において、２つの領域のうち他の提供情報に重なる領域に配置された識別情報を除去する構成としたものにおいては、提供情報に対して本来識別情報が配置されるような領域に他の提供情報が配置される場合であっても、提供情報に識別情報が重なるように印刷されることがなく、提供情報が閲覧しにくくなったり、識別情報が読み取り不可能となってしまうことを回避することができる。
【００５９】
また、照合手段における識別情報の照合処理の後、識別情報が印刷された領域を切り落とす断裁手段を設けたものにおいては、提供先に提供される印刷物には識別情報が印刷されていないことになり、識別情報によって印刷物の美観を損ねてしまうことを回避することができる。
【図面の簡単な説明】
【図１】本発明の印刷物作製システムの実施の一形態を示す図である。
【図２】図１に示した印刷物作製システムにおける印刷物の作製方法の一例を説明するためのフローチャートである。
【図３】図１に示した印刷物作製システムにてコンテンツ情報が印刷された印刷物の一例を示す図である。
【図４】図１に示した印刷物作製システムにおける印刷物の作製方法の他の例を説明するためのフローチャートである。
【図５】図１に示した印刷物作製システムにてコンテンツ情報が印刷された印刷物の他の例を示す図である。
【図６】図１及び図４を用いて説明した印刷物の作製方法が適用されるシステムの一例を示す図である。
【符号の説明】
１，１０１    印刷物
２ａ〜２ｃ，１０２ａ〜１０２ｆ    コンテンツ情報
３ａ〜３ｃ，４，１０３ａ〜１０３ｇ，１０４    バーコード情報
１０    顧客特定部
２０    顧客情報検索部
３０    コンテンツ情報検索部
４０    印刷データ編集部
５０    バーコード情報付与部
６０    印字部
７０    照合部
８１    顧客情報データベース
８２    コンテンツ情報データベース
８３    印刷物データベース
１０５    共通情報
２０１    コンベヤー
２０２    明細書供給部
２０３，２０４−１〜２０４−ｎ    チラシ供給部
２０５ａ，２０５ｂ    バーコードリーダ
２０６    制御部
【図１】
2004299226.tif 000003
【図２】
2004299226.tif 000004
【図３】
2004299226.tif 000005
【図４】
2004299226.tif 000006
【図５】
2004299226.tif 000007
【図６】
2004299226.tif 000008